(57)【要約】【課題】安定した操作性を保持しながら、簡易な形状で組み付け性が良く、生産性が良好であって、製造コストを低減できるコンパクト容器を提供する。【解決手段】蓋体３が後壁２１に回動自在に連結された容器本体２と、容器本体の左右側壁２３、２４に面して、底壁２５に形成され、外方からの押圧操作により、側壁を内方へ弾性変形可能にするスリット２７と、左右側壁の間で前後方向スライド自在に嵌着される化粧料皿４と、化粧料皿と蓋体とを係脱自在に係合して容器本体の閉蓋状態を保持し、化粧料皿４のスライド移動によって、その係合を解除するフック部と、これら左右の側壁にその両端が固定され、中央が化粧料皿に当接されて、側壁の押圧操作によって弾性変形することで、化粧料皿を前方および後方へスライド移動させるとともに、押圧操作を解除することによって、その弾性復原力で、スライド移動した化粧料皿を元の位置に戻す弾性部材６０とを有する。【選択図】図２
2010063567.tif 000002
【特許請求の範囲】
【請求項１】
蓋体が後壁に回動自在に連結された容器本体と、
該容器本体の左右両側それぞれに形成された一対の側壁と、
これら一対の側壁に面して、該容器本体の底壁に形成され、外方からの押圧操作により、該側壁を内方へ弾性変形可能にするスリットと、
該容器本体内に、左右側壁の間で前後方向スライド自在に嵌着される化粧料皿と、
該化粧料皿と該蓋体の間に形成され、該化粧料皿と該蓋体とを係脱自在に係合して該容器本体の閉蓋状態を保持し、該化粧料皿のスライド移動によって、その係合を解除するフック部と、
両端が該左右側壁に固定され、中央が化粧料皿に当接されて、該側壁の押圧操作によって弾性変形することで、該化粧料皿を前方もしくは後方へスライド移動させるとともに、押圧操作を解除することによって、その弾性復原力で、スライド移動した上記化粧料皿を元の位置に戻す弾性部材とを有することを特徴とするコンパクト容器。
【請求項２】
前記蓋体には、その前端に前記容器本体の前記前壁全体をその前方から覆う垂下前壁部が形成されることを特徴とする請求項１に記載のコンパクト容器。
【発明の詳細な説明】
【技術分野】
【０００１】
本発明は、左右側壁を外方から押圧操作することで、容器本体と蓋体との係合状態を解除可能なコンパクト容器に関する。
【背景技術】
【０００２】
従来、容器本体の両側壁の外方からの押圧操作で、蓋体を開放するコンパクト容器として、例えば特許文献１が知られている。
【０００３】
特許文献１のコンパクト容器は、容器本体の底壁部に、側壁部の長さ方向に沿って形成されるスリットにより、側壁部が容器本体内方へ押圧操作可能に弾性変形される。他方、容器本体には、その内部に中皿が収納され、中皿で覆われた底壁部には横溝と縦溝とからなるＴ字状の溝部が形成され、溝部には薄板状のスライドピースが設けられ、スライドピースは、弾性変形された側壁部によって押圧操作されることで、溝部内でスライド移動される。そして、スライドピースの前端側に形成され、スライドピースのスライド移動に応じて前後方向に移動する係合部が、蓋体に設けられる突起に係脱自在に係合されて、容器本体と蓋体とを係合する構成となっている。
【０００４】
上記スライドピースは、縦溝内に配置され、縦溝に案内されて前後方向へスライド自在なスライド片と、スライド片の後端から左右方向に弾性変形自在に延出形成され、横溝内で弾性変形される弾性片と、弾性片の両端にそれぞれ形成され、横溝内に配置されて、当該横溝に案内されて左右方向へスライド自在なコ字状の一対のガイド片と、ガイド片それぞれに側壁部の裏面に面して突出形成された押圧突起とが一体成形されている。
【特許文献１】特開２００７−２８９２９０号公報
【発明の開示】
【発明が解決しようとする課題】
【０００５】
上記背景技術にあっては、スライドピースに、容器本体と蓋体との係合手段として、フックを設けるとともに、これを前後方向自在にスライド移動させる手段として、容器本体のＴ字状の溝部にあわせて、スライド片、弾性片、ガイド片および押圧突起を形成していた。このようなスライドピースの創意工夫により、側壁の押圧による開蓋時の操作性を向上し、安定的な操作を可能にしていた。しかしながら、フック、スライド片、弾性片、ガイド片、押圧突起という様々な形状の部分を、スライドピース単体に持たせたことにより、スライドピースの構造が非常に複雑になるという課題があった。特に、弾性片は、ガイド片にその両端が接合され、スライド片の後端に中央が接合さており、製造過程での緻密さが必要とされ、製造が繁雑になるという課題があった。またこれにより、製造コストがかさむという課題があった。
【０００６】
本発明は上記従来の課題に鑑みて創案されたものであって、左右側壁を押圧操作することで、容器本体と蓋体との係合状態を解除可能なコンパクト容器において、安定した操作性を保持しながら、簡易な形状で組み付け性が良く、生産性が良好であって、製造コストを低減できるコンパクト容器を提供することを目的とする。
【課題を解決するための手段】
【０００７】
本発明にかかるコンパクト容器は、蓋体が後壁に回動自在に連結された容器本体と、該容器本体の左右両側それぞれに形成された一対の側壁と、これら一対の側壁に面して、該容器本体の底壁に形成され、外方からの押圧操作により、該側壁を内方へ弾性変形可能にするスリットと、該容器本体内に、左右側壁の間で前後方向スライド自在に嵌着される化粧料皿と、該化粧料皿と該蓋体の間に形成され、該化粧料皿と該蓋体とを係脱自在に係合して該容器本体の閉蓋状態を保持し、該化粧料皿のスライド移動によって、その係合を解除するフック部と、両端が該左右側壁に固定され、中央が化粧料皿に当接されて、該側壁の押圧操作によって弾性変形することで、該化粧料皿を前方もしくは後方へスライド移動させるとともに、押圧操作を解除することによって、その弾性復原力で、スライド移動した上記化粧料皿を元の位置に戻す弾性部材とを有することを特徴とする。
【０００８】
前記蓋体には、その前端に前記容器本体の前記前壁全体をその前方から覆う垂下前壁部が形成されることを特徴とする。
【発明の効果】
【０００９】
本発明は上記従来の課題に鑑みて創案されたものであって、左右側壁を押圧操作することで、容器本体と蓋体との係合状態を解除可能なコンパクト容器において、安定した操作性を保持しながら、簡易な形状で組み付け性が良く、生産性が良好であって、製造コストを低減できるコンパクト容器を提供することを目的とする。
【発明を実施するための最良の形態】
【００１０】
以下に、本発明にかかるコンパクト容器の好適な一実施形態を、添付図面を参照して詳細に説明する。本実施形態にかかるコンパクト容器１は基本的には、図１〜図５に示すように、蓋体３が後壁２１に回動自在に連結された容器本体２と、容器本体２の左右両側それぞれに形成された一対の側壁２３、２４と、一対の側壁２３、２４に面して、容器本体２の底壁２５に形成され、外方からの押圧操作により、側壁２３、２４を内方へ弾性変形可能にするスリット２７と、容器本体２内に、左右側壁２３、２４の間で前後方向スライド自在に嵌着される化粧料皿４と、化粧料皿４と蓋体３の間に形成され、化粧料皿４と蓋体３とを係脱自在に係合して容器本体２の閉蓋状態を保持し、化粧料皿４のスライド移動によって、その係合を解除するフック部と、これら左右の側壁２３、２４にその両端が固定され、中央が化粧料皿４に当接されて、側壁２３、２４の押圧操作によって弾性変形することで、化粧料皿４を前方および後方へスライド移動させるとともに、押圧操作を解除することによって、その弾性復原力で、スライド移動した化粧料皿４を元の位置に戻す弾性部材６０とを有する。
【００１１】
蓋体３には、その前端に容器本体２の前壁２２全体をその前方から覆う垂下前壁部３１が形成される。
【００１２】
コンパクト容器１は主に、容器本体２と、蓋体３と、容器本体２内部に収納される化粧料皿４とからなる。容器本体２は合成樹脂材で形成される。容器本体２には、底壁２５の周縁にその周方向に沿って、前壁２２、後壁２１、および左右の側壁２３、２４としての周側壁２０が立設される。図示例にあっては、容器本体２は、前壁２２および後壁２１に対して、左右の側壁２３、２４の長さが長く、その平面外形輪郭が縦長の長方形状に形成される。容器本体２は縦長の長方形状に限られず、正方形などその他の形状であっても良い。周側壁２０の上端には、これより内方に延設される上縁部２０ａが形成される。
【００１３】
容器本体２には、蓋体３が回動自在に連結される。蓋体３は合成樹脂材で形成され、天板３２の周縁にその周方向に沿って環状周壁部３０が立設されて、容器本体２に合致する平面外形輪郭で皿状に形成される。蓋体３もまた縦長の長方形状に限られず、正方形などその他の形状であっても良い。天板３２の裏面には、板状の鏡３３が取り付けられる。蓋体３には、その前端に容器本体２の前壁２２全体をその前方から覆う垂下前壁部３１が形成される。
【００１４】
容器本体２の後壁２１には、左右方向両端からそれぞれ後方へ突出させて、一対のヒンジ片５０が形成される。ヒンジ片５０の間には凹所５３が形成される。また蓋体３の環状周壁部３０には、これより凹所５３内に垂下させて、ヒンジブロック５１が形成される。そしてこれらヒンジブロック５１とヒンジ片５０との間には、それぞれヒンジピン５４が挿入される。これによりヒンジ片５０にヒンジブロック５１が回動自在に連結されて、容器本体２を開閉すべく蓋体３が回動されるようになっている。
【００１５】
容器本体２には、周側壁２０に取り囲まれて化粧料皿収納部５が形成される。化粧料皿収納部５には化粧料皿４が収納される。化粧料皿４は合成樹脂材で形成される。化粧料皿４には、前後方向２ヶ所に化粧料やパフなどの化粧具を収納するための前皿部４３、および後皿部４４が凹設される。他方、化粧料皿４には、前皿部４３および後皿部４４の周縁から、これらを取り囲むような形状の枠部４５が形成される。枠部４５は、その周縁部が容器本体２の周側壁２０の上縁部２０ａよりも小さく、かつ、周側壁２０の上縁部２０ａに重ねあわされる程度の大きさに形成される。これにより、化粧料皿４を化粧料皿収納部５に収納した状態で、枠部４５の周縁部の下面が、容器本体２の周側壁２０の上縁部２０ａに当接するようになっている。
【００１６】
化粧料皿４は、皿部４３、４４の前後方向の長さが、化粧料皿収納部５の前後方向の長さよりも短く形成されている。これにより、化粧料皿４は、化粧料皿収納部５内を前後方向にスライド自在に移動可能となる。
【００１７】
化粧料皿収納部５には、底壁２５より立ち上げて嵌合部２８が形成される。嵌合部２８は、左側壁２３および右側壁２４にそれぞれ近接させて前後２ヶ所ずつに形成される。嵌合部２８には、その上端より内方に突出させて嵌合片２８ａが形成される。底壁２５の左右方向中央には、前後方向に沿って適宜な長さの案内片２６が突出形成される。
【００１８】
前皿部４３および後皿部４４には、それぞれの左右両側壁の外面に、これより外方へむけて、嵌合部２８に係止される係止部４７が突設される。化粧料皿４は、係止部４７が嵌合部２８の嵌合片２８ａを乗り越えてこれに係止されることによって、左右側壁２３、２４間の化粧料皿収納部５内に嵌着される。
【００１９】
また、化粧料皿４には、その底面に、後述するフック４１の前後方向略中央から、前皿部４３および後皿部４４に亘って、案内片２６に嵌め合わされて、化粧料皿４の前後移動を案内する案内溝４６が刻設される。
【００２０】
容器本体２には、その前壁２２に、これを前後方向に貫通する孔部２２ａが形成される。化粧料皿４の前端部４０には、前皿部４３の前壁の外面から前方へ突出させて、孔部２２ａに挿抜自在に挿入されるフック４１が形成される。化粧料皿収納部５内で化粧料皿４が前方にスライド移動すると、フック４１が孔部２２ａを介して前壁２２の外側へ突出する。他方、蓋体３の垂下前壁部３１には、容器本体２の前壁２２に面する裏面に、孔部２２ａから突出したフック４１と係脱自在に係合する凹溝状の係合部３１ａが形成される。化粧料皿収納部５内で化粧料皿４が前方へスライド移動すると、フック４１が前壁２２を介して係合部３１ａと係合する。フック４１と係合部３１ａによりフック部が構成され、このフック部が係合状態を維持することによって閉蓋状態が保持される。
【００２１】
容器本体２の左右両側壁２３、２４は、外方からの押圧操作により、内方へ向けて弾性変形可能に形成される。図示例にあっては、容器本体２の底壁２５に、その嵌合部２８と左右の側壁２３、２４との間に位置させて、側壁２３、２４それぞれの長さ方向ほぼ全長に亘って、一対のスリット２７が形成されている。これにより、左右の側壁２３、２４は、弾性変形可能に変形されることとなる。
【００２２】
化粧料皿収納部５には、左右側壁２３、２４に一体的に、後述する弾性部材６０を係止する一対の固定部２９が形成される。図示例にあっては、固定部２９は、左右側壁２３、２４の前後方向中央よりやや前方であって、前側の左右嵌合部２８の直後に位置してそれぞれ形成されている。固定部２９は、内側に開口部２９ａ有するＣ字状に形成されている。固定部２９は、その上端および下端は開放されている。また、固定部２９は、化粧料皿４を装着したたときに外側から見えない程度に、側壁２３、２４の上端縁２０ａに被われている。
【００２３】
化粧料皿収納部５には、弾性部材６０が配設される。弾性部材６０は、金属製の板バネで形成される。弾性部材６０には、後方に向かう凸の弧状の薄板であって、弾性変形自在な薄板部６１が形成される。薄板部６１は、化粧料皿収納部５の左右方向の長さとほぼ同じ程度の長さに形成されており、その両端には、固定部２９に固定される固定片６２が一体形成される。固定片６２は、側壁２３、２４に沿って形成され、かつ、固定部２９内に係脱自在に係止可能な大きさに形成される。具体的には、固定片６２は、薄板部６１の両端をいったん後方に折り曲げた後、適宜長さを残してこれをさらに前方へ折り返すことで、左右方向に曲げ変形可能なバネ状に形成されている。
【００２４】
弾性部材６０は、その上方から開口部２９ａに薄板部６１を挿通させつつ、左右の固定部２９内に圧縮させた状態の固定片６２が収納される。収納された後、固定片６２が復原すると、その端面が、固定部２９内に張着することで固定される。そして、左右の固定部２９の間に薄板部６１が掛架される。このとき、薄板部６１は、前皿部４３と後皿部４４の間に形成された中央部６を挿通し、薄板部６１の前面６１ａが前皿部４３の後壁の外面に当接された状態となる。
【００２５】
次に、本実施形態にかかるコンパクト容器１の作用を説明する。コンパクト容器１を製作するにあっては、側壁２３、２４の固定部２９に固定片６２を固定して、化粧料皿収納部５に弾性部材６０を配設する。薄板部６１を中央部６に挿通させ、フック４１を孔部２２ａに挿入した後、係止部４７を嵌合部２８の嵌合片２８ａに係止させるように、化粧料皿収納部５内に化粧料皿４を前後方向スライド自在に嵌着する。ヒンジブロック５１とヒンジ片５０にヒンジピン５４を連通して、容器本体２に蓋体３を回動自在に連結する。
【００２６】
蓋体３を開放するにあっては、コンパクト容器１を下から支えるように片手で持ち、左右の側壁２３、２４を手指などで押圧する。内方へ押圧された側壁２３、２４とともに、固定部２９が内方へ移動する。すると、固定部２９に固定された固定片６２を介して薄板部６１が後方へ向かって弾性変形し、薄板部６１の後面が後皿部４４の前壁に当接して後皿部４４を後方へ押圧する。これにより、化粧料皿４全体が後方へスライド移動する。これに伴い、前皿部４３のフック４１も後方へスライド移動し、これと係合部３１ａとの係合が解除され、手指などで蓋体３を開放する。
【００２７】
側壁２３、２４の押圧操作を解除すると、側壁２３、２４が弾性復帰することで、これに伴い、固定部２９に引張されて弾性部材６０もまた弾性復原する。この際、薄板部６１の前面６１ａが前皿部４３の後壁を前方へ押圧することで、側壁２３、２４を押圧操作する前の元の位置まで、化粧料皿４を前方へスライド移動させる。
【００２８】
蓋体３を閉止するにあっては、手指などで蓋体３を上方から押圧する。すると、フック４１が、係合部３１ａに押圧されて化粧料皿４とともに後方へ移動し、フック４が、係合部３１ａを乗り越えてこれに係合される。
【００２９】
上記コンパクト容器１は、化粧料皿４と蓋体３との間にフック部を形成しているとともに、化粧料皿収納部５に弾性部材６０を配設して、これを側壁２３、２４の固定部２９に固定した。これによって、側壁２３、２４を押圧操作すれば、その押圧力が側壁２３、２４から、弾性部材６０を介して化粧料皿４にへ直接作用し、蓋体との係合状態が解除され、開蓋などの操作性を安定させることができる。
【００３０】
また、弾性部材６０は、上述した背景技術のスライドピースのような複雑な構造によらず、薄板部６１と固定片６２とを有する板状バネによって形成している。そして、この板状バネは、その固定片６２を固定部２９に係止することで固定されている。このため、組み付け性を良くすることができるとともに、細微な設計や製造をすることなく、簡易な構造に形成することができるため生産性を良くすることができる。また、簡易な一枚板の板状バネを用いているため、製造コストを削減することが可能となる。
【００３１】
さらに、弾性部材６０の中央を化粧料皿４に当接させているため、弾性部材６０は、化粧料皿４の後方へのスライド移動を可能にするとともに、後方へ移動した化粧料皿４を前方へ押し戻すこともできる。より具体的には、前後皿部２３、２４の間の中央部６に、薄板部６１を挿通させて、固定片６２を固定部２９に固定している。これにより、側壁２３、２４を押圧操作すれば、薄板部６１の後面６１ｂが後皿部２４に当接しつつ弾性変形することで、化粧料皿４を後方へスライド移動させることができ、さらに、押圧操作を解除すれば、薄板部６１の前面６１ａが前皿部２３に当接しつつ弾性復原されることで、後方へ移動した化粧料皿４を元の位置まで戻すことが可能となる。
【００３２】
本実施形態では、蓋体３に垂下前壁部３１を設けるようにしている。これによって閉蓋時には、垂下前壁部３１が容器本体２の前壁２２全体を覆うこととなり、コンパクト容器１全体の外観を良好にすることができる。これに加えて、フック４１を化粧料皿４の前端部４０に形成し、容器本体２の前壁２２の孔部２２ａから突出させたことで、化粧時などに、周囲に飛散する化粧料が、孔部２２ａやフック４１の周囲に付着しにくいため、操作不良などの不具合を起こりにくくすることができる。
【００３３】
本実施形態にあっては、一対のスリット２７は、側壁２３、２４それぞれの長さ方向ほぼ全長に亘って形成されている。これにより、側壁２３、２４を柔軟に弾性変形させることができ、側壁２３、２４のどこを押圧しても開蓋が可能であって、使用性を良好にすることができる。
【００３４】
しかしながら、一対のスリット２７は、側壁２３、２４の長さ方向ほぼ全長に亘って形成しなくてもよいことはもちろんである。例えば、固定部２９の周辺にのみ、スリット２７を形成することもできる。これによって、押圧操作のポイントを定めることができ、力効率のよい押圧操作が可能で、開蓋の操作性を良くすることができる。
【００３５】
本実施形態では、化粧料皿４は、２つの皿部４３、４４を有するものであった。しかし、化粧料皿４の形状はこれに限られず、例えば、１つの皿部を有するものであっても良い。この場合、例えば、化粧料皿４の底壁の適宜位置に中央部６を形成するなどして、中央部６に薄板部６１を挿通させるようにしてもよい。
【００３６】
本実施形態では、弾性部材６０は金属製の板バネで形成されていた。しかしながら、弾性部材６０は、合成樹脂材など他の素材で形成してもよい。
【００３７】
次に、本実施形態にかかるコンパクト容器１のフック部の変形例を説明する。
【００３８】
本変形例にあっては、図６に示すように、垂下前壁部３１に代えて、通常の前壁部３４が形成される。前壁部３４は、容器本体２に合致する平面外形輪郭で皿状に形成された環状周側壁３０の前端部に、その一部として形成されており、閉蓋状態では、容器本体２の前壁２２の外面とほぼ段差なく形成されている。蓋体３には、これより化粧料収納部５内に垂下させて爪部７０ａが形成される。爪部７０ａには、その下端に、これより後方へ向けて突出させたフック７０ｂが形成される。他方、化粧料皿４の枠部４５前端には、フック７０ｂに係合される係合部７０ｃが垂下形成される。これらフック７０ｂと係合部７０ｃにより、フック部が構成される。
【００３９】
開蓋操作の際には、側壁２３、２４の押圧操作で化粧料皿４が後方へのスライド移動することに伴って係合部７０ｃが後方へ移動することで、係合部７０ｃとフック７０ｂとの係合が解除される。
【００４０】
次に、本発明にかかるコンパクト容器の第２実施形態を詳細に説明する。本実施形態にあっては、第１実施形態との差異のみを説明する。
【００４１】
本実施形態にかかるコンパクト容器１は、側壁２３、２４の押圧操作によって化粧料皿４が前方へスライド移動する形態である。このコンパクト容器１では、図示はしないが、弾性部材６０バネは、前方へ向かう凸の弧状の板バネで形成される。また、弾性部材６０の固定片６２を固定する固定部２９は、左右側壁２３、２４の前後方向中央よりやや後方付近に位置してそれぞれ形成される。弾性変形部材６０は、固定片６２を固定部２９に固定して、これらの間に前方に向けて凸状に薄板部６１を掛架させて、化粧料皿収納部５に配設される。このとき、薄板部６１は、前皿部４３と後皿部４４の間の中央部６を挿通し、かつ、薄板部６１の後面６１ｂが後皿部４４の前壁の外面に当接された状態となる。
【００４２】
本実施形態にかかるコンパクト容器１の開蓋過程のフック部形状を図７に示す。化粧料皿４には、前皿部４３の前壁外面から前方へ突出させて押し上げフック７１が形成される。押し上げフック７１は、前皿部４３の前壁外面から前方へ突出させた突出部７１ａと、突出部７１ａの前端に設けられ、上下方向へ可撓変形可能な可撓部７１ｂと、可撓部７１ｂの前端にほぼ断面三角形状に形成される押し上げ部７２とから構成される。押し上げ部７２には、その下面に化粧料皿４の前方へのスライド移動に従い、順次上昇する上向き傾斜面７２ａが形成され、また、上面に化粧料皿４の前方へのスライド移動に従い、係合部３１ａを押し上げる押し上げ面７２ｂが形成される。また、容器本体２には、その前壁２２に、押し上げフック７１を前後方向に貫通する孔部２２ａが形成され、孔部２２ａには、押し上げ部７２のスライド方向に順次上昇させて形成され、上向き傾斜面７２ａを摺接するガイド斜面２２ｂが設けられる。
【００４３】
容器本体２の前壁２２上方には、蓋体３に係止される第１係止部７３が突出形成され、蓋体３の垂下前壁部３１には、第１係止部７３に面して、第１係止部７３を係脱自在に係止させる凹状の第２係止部７４が形成される。第１係止部７３および第２係止部７４が互いに係止されて閉蓋状態が保持される。
【００４４】
開蓋操作の際は、内方へ押圧された側壁２３、２４とともに、固定部２９が内方へ移動し、固定部２９に固定された固定片６２を介して薄板部６１が前方へ向かって弾性変形し、薄板部６１の前面６１ａが前皿部４３の後壁に当接して前皿部４３を前方へ押圧する。これにより、化粧料皿４全体が前方へスライド移動する。これに伴って押し上げフック７１が前方へ押し込まれる。押し上げ部７２は、その上向き傾斜面７２ａがガイド斜面２２ｂに摺接されることにより、可撓部７１ｂが上方へ可撓変形しながら順次上昇し、押し上げ面７２ｂが蓋体３の係合部３１ａに当接されてこれを押し上げる。蓋体３が押し上げられたことによって、第１係止部７３および第２係止部７４の係止状態が解除される。
【００４５】
コンパクト容器１の使用後は、蓋体３を容器本体２側に押し込み操作をすると、第１係止部７３を乗り越えて第２係止部７４がこれに係止されることで閉蓋される。
【００４６】
次に本実施形態にかかるコンパクト容器１のフック部の第１変形例を説明する。
【００４７】
本変形例にあっては、図８に示すように、垂下前壁部３１に代えて、通常の前壁部３４が形成される。前壁部３４は、容器本体２に合致する平面外形輪郭で皿状に形成された環状周側壁３０の前端部に、その一部として形成されており、閉蓋状態では、容器本体２の前壁２２の外面とほぼ段差なく形成されている。
【００４８】
蓋体３と化粧料皿４の間にはフック部が形成される。フック部は、化粧料皿４の枠部４５前端に形成される孔状の係合部７５と、蓋体３より垂下形成されて係合部７５に挿抜自在に挿入され、かつ、その先端が前方に突出していることで係合部７５に係脱自在に係合するフック７６とから構成される。
【００４９】
また、枠部４５の前端に第１傾斜部４５ａが形成され、蓋体３の前壁部３４の内側に第１傾斜部４５ａに対応させた第２傾斜部３４ａが形成される。
【００５０】
開蓋時には、係合部７５が、化粧料皿４とともに前方にスライド移動し、フック７６から逸脱してフック部の係合が解除される。この後、第１傾斜部４５ａが第２傾斜部３４ａに当接してこれを押し上げ、蓋体３を浮き上がらせる。そしてこの蓋体３を手指などで完全に解放すればよい。
【００５１】
さらに、フック７６前端と係合部７５の前端とに、互いに対面して一対の傾斜面７８が形成されており、使用後は、蓋体３を手指で容器本体２方向に押し込むと、これら傾斜面７８が互いに摺動することによって、化粧料皿４を前方へスライド移動させ、スムースに係合部７６にフック７５が係合される。
【００５２】
次に第２実施形態にかかるフック部の第２変形例を説明する。本変形例にあっては、先に図８を用いて説明した第１変形例との差異のみを説明する。
【００５３】
本変形例にあっては、図９に示すように、化粧料皿４の前皿部４３には、これより前方へ突設され、その上面に前方から後方にかけて上昇する傾斜面７７ａを有する突片７７が形成される。開蓋時には、化粧料皿４の前方へのスライド移動に伴い、突片７７がフック７６の後端に当接しながらこれを押し上げつつスライドし、係合部７５との係合が解除されたフック７６上方へ押し上げて蓋体３を浮き上がらせる。
【００５４】
上記第１および第２実施形態において、開蓋操作により後方および前方にスライド移動する化粧料皿４の構成を説明した。これに加え、この化粧料皿４のスライド移動によってその係合が解除されるフック部の構成を様々な変形例を用いて説明した。しかしながらこのフック部の構成は、これら例示されたものだけに限られない。化粧料皿４と蓋体３との間に形成されていれば、周知のフック部を適用してもよいことはもちろんである。
【図面の簡単な説明】
【００５５】
【図１】本発明にかかるコンパクト容器の好適な第１実施形態を示す、上方から見た分解斜視図である。
【図２】図１に示したコンパクト容器の平断面図である。
【図３】図１に示したコンパクト容器の側断面図である。
【図４】図１のコンパクト容器の側壁を押圧操作した状態を示す、平断面図である。
【図５】図４に示した押圧操作状態のコンパクト容器の側断面図である。
【図６】第１実施形態にかかるコンパクト容器において、フック部の変形例を示す要部拡大側断面図である。
【図７】本発明にかかるコンパクト容器の第２実施形態において、開蓋操作段階のフック部を示す要部拡大側断面図である。
【図８】第２実施形態にかかるコンパクト容器において、フック部の第１変形例を示す要部拡大側断面図である。
【図９】第２実施形態にかかるコンパクト容器において、フック部の第２変形例を示す要部拡大側断面図である。
【符号の説明】
【００５６】
１      コンパクト容器
２      容器本体
３      蓋体
４      化粧料皿
２１    後壁
２２    前壁
２３    左側壁
２４    右側壁
２５    底壁
２７    スリット
３１    垂下前壁部
３１ａ  係合部
４０    前端部
４１    フック
６０    弾性部材
【図１】
2010063567.tif 000003
【図２】
2010063567.tif 000004
【図３】
2010063567.tif 000005
【図４】
2010063567.tif 000006
【図５】
2010063567.tif 000007
【図６】
2010063567.tif 000008
【図７】
2010063567.tif 000009
【図８】
2010063567.tif 000010
【図９】
2010063567.tif 000011